(57)【要約】【課題】カウンターを隙間なく意匠性を向上させてすっきりと設置することができ、また、カウンター内に通される配管の接続作業等が容易となる浴室のカウンターを提供する。【解決手段】浴槽エプロン３と、浴槽２と対面する壁との間に横設され内部に配管１１，１２が通るカウンターであって、該カウンターはカウンター本体６とカバー７とからなり、カウンター本体６は浴槽２と対面する壁に当接するとともに浴槽エプロン３とは離れて設けられ、カウンター本体６と浴槽エプロン３との間隔内の配管１１，１２を覆うようにカバー７が着脱可能に取り付けられ、カウンター本体６の端部にカバ７ーが重ね合わされて、カバー７が浴槽エプロン３に当接される。【選択図】図２
2007330711.tif 000002
【特許請求の範囲】
【請求項１】
浴槽エプロンと、浴槽と対面する壁との間に横設され内部に配管が通る浴室ユニットのカウンターであって、
該カウンターはカウンター本体とカバーとからなり、
該カウンター本体は前記壁に当接するとともに前記浴槽エプロンとは離れて設けられ、該カウンター本体と前記浴槽エプロンとの間隔内の前記配管を覆うように前記カバーが着脱可能に取り付けられ、
前記カウンター本体の端部に該カバーが重ね合わされて、該カバーが前記浴槽エプロンに当接されていることを特徴とする浴室ユニットのカウンター。
【請求項２】
前記カバーは、前記浴槽エプロンに開口された作業口または凹設された作業凹所を覆蓋する作業口蓋と一体にされていることを特徴とする請求項１に記載の浴室ユニットのカウンター。
【請求項３】
前記浴室ユニットは、浴槽と洗い場パンとエプロンを備え、浴槽パンが存在しないタイプである請求項１または請求項２に記載の浴室ユニットのカウンター。
【請求項４】
浴槽エプロンと、浴槽と対面する壁との間に横設され内部に配管が通る浴室ユニットのカウンターにおいて、
該カウンターはカウンター本体とカバーとからなり、
該カウンター本体は前記浴槽エプロンに当接するとともに前記壁とは離れて設けられ、該カウンター本体と前記壁との間隔内の前記配管を覆うように前記カバーが着脱可能に取り付けられ、
前記カウンター本体の端部に該カバーが重ね合わされて、該カバーが前記浴槽と対面する壁に当接されていることを特徴とする浴室ユニットのカウンター。
【発明の詳細な説明】
【技術分野】
【０００１】
本発明は、浴室ユニット内に設置されるカウンターに関するものである。
【背景技術】
【０００２】
従来、特許文献１に開示されているように、カウンター本体を支持体に差込み、支持体はエプロン側に隙間なく取り付けて、カウンター本体の支持体に対する差込量を調整することでカウンターとエプロンの隙間のズレに対応させて、浴槽のエプロンと対面する壁との間に隙間なく浴室カウンターを横設させる構造が存在する。
【特許文献１】特開２００４−１４７７１１号公報
【発明の開示】
【発明が解決しようとする課題】
【０００３】
上記特許文献１に開示されている浴室カウンターの構造では、カウンター本体の支持体に対する差込量を調整することでカウンターを隙間なく設置することができるものであるが、カウンター内に配置される配管の接続作業等に関しては何ら考慮されていないものであった。
【課題を解決するための手段】
【０００４】
本発明は上記従来の問題点に鑑み案出したものであって、意匠性を向上させて隙間なく設置することができるとともに、配管の接続作業等も容易となる浴室ユニットのカウンターを提供するものであり、その請求項１は、浴槽エプロンと、浴槽と対面する壁との間に横設され内部に配管が通る浴室ユニットのカウンターであって、該カウンターはカウンター本体とカバーとからなり、該カウンター本体は前記壁に当接するとともに前記浴槽エプロンとは離れて設けられ、該カウンター本体と前記浴槽エプロンとの間隔内の前記配管を覆うように前記カバーが着脱可能に取り付けられ、前記カウンター本体の端部に該カバーが重ね合わされて、該カバーが前記浴槽エプロンに当接されていることである。
【０００５】
また請求項２は、前記カバーは、前記浴槽エプロンに開口された作業口または凹設された作業凹所を覆蓋する作業口蓋と一体にされていることである。
【０００６】
また請求項３は、前記浴室ユニットは、浴槽と洗い場パンとエプロンを備え、浴槽パンが存在しないタイプであることである。
【０００７】
また請求項４は、浴槽エプロンと、浴槽と対面する壁との間に横設され内部に配管が通る浴室ユニットのカウンターにおいて、該カウンターはカウンター本体とカバーとからなり、該カウンター本体は前記浴槽エプロンに当接するとともに前記壁とは離れて設けられ、該カウンター本体と前記壁との間隔内の前記配管を覆うように前記カバーが着脱可能に取り付けられ、前記カウンター本体の端部に該カバーが重ね合わされて、該カバーが前記浴槽と対面する壁に当接されていることである。
【発明の効果】
【０００８】
本発明は、浴槽エプロンと、浴槽と対面する壁との間に横設され内部に配管が通る浴室ユニットのカウンターであって、該カウンターはカウンター本体とカバーとからなり、該カウンター本体は前記壁に当接するとともに前記浴槽エプロンとは離れて設けられ、該カウンター本体と前記浴槽エプロンとの間隔内の前記配管を覆うように前記カバーが着脱可能に取り付けられ、前記カウンター本体の端部に該カバーが重ね合わされて、該カバーが前記浴槽エプロンに当接されていることにより、浴槽エプロンとカウンター本体の端部間の隙間を良好にカバーで覆蓋させて、隙間なくカウンターを浴槽エプロンと対面する壁との間に設置することができ、意匠性が向上するものとなる。
また、カバーを取り外して、浴槽エプロンとカウンター本体の端部間の隙間内で良好に配管の接続作業を行うことができ、接続作業がし易いものとなり、接続後にカバーでこの配管の接続部分を良好に隠蔽させることができるものとなる。
【０００９】
また、前記カバーは、前記浴槽エプロンに開口された作業口または凹設された作業凹所を覆蓋する作業口蓋と一体にされていることにより、浴槽エプロンの作業口または作業凹所をカウンターの設置される壁側に設けることができて、この作業口または作業凹所からエプロンの裏側の点検作業等を良好に行うことができ、カバーを取り付けることでこの作業口または作業凹所がすっきりとした状態で覆蓋され、設置状態の意匠性が向上するものとなる。
【００１０】
また、前記浴室ユニットは、浴槽と洗い場パンとエプロンを備え、浴槽パンが存在しないタイプであることにより、浴槽パンが存在しないタイプでは、浴槽の脚とその下方のフレームとのつなぎ作業等が必要であるが、浴槽エプロンとカウンター本体の端部間の隙間および作業口から手を入れて、良好にこれらの作業を行うことができ、極めて作業がし易いものとなる。
【００１１】
また、浴槽エプロンと、浴槽と対面する壁との間に横設され内部に配管が通る浴室ユニットのカウンターにおいて、該カウンターはカウンター本体とカバーとからなり、該カウンター本体は前記浴槽エプロンに当接するとともに前記壁とは離れて設けられ、該カウンター本体と前記壁との間隔内の前記配管を覆うように前記カバーが着脱可能に取り付けられ、前記カウンター本体の端部に該カバーが重ね合わされて、該カバーが前記浴槽と対面する壁に当接されていることにより、北海道等の寒冷地では配管の凍結を防ぐために、浴槽と対面する側の壁面へ配管を通すことが行われるが、このような配管を接続する作業等を、浴槽と対面する壁とカウンター本体の端部との隙間内で良好に行うことができるものとなり、配管の接続部はカバーを取り付けることで覆蓋されてすっきりとした状態となり、カバーでカウンター本体と壁間の隙間がなくなり、隙間のない意匠性に優れたカウンターの設置状態が得られるものとなる。
【実施例】
【００１２】
以下、本発明の実施例を図面に基づいて説明する。
図２は、第１実施例のカウンターの分解斜視構成図であり、図３は、カウンター本体の端部をカウンターカバー内に差し込んで重ね合わせた要部斜視図である。また図４は、カバーの取付状態の斜視構成図である。
浴室ユニット１に設置されるカウンター本体６は、図１の平面概略構成図で示すように、浴槽２の洗い場５側に立設されるエプロン３と、浴槽２と対面する対面壁４ｂ間に、設置壁４ａに沿って横設されるものであり、カウンター本体６は右端を対面壁４ｂに当接させて設置され、カウンター本体６とエプロン３間には隙間Ｓが形成されるが、この隙間Ｓがカウンターカバー７により覆蓋されるものである。
【００１３】
なお、図５の配管図で示すように、カウンター本体６の上方の設置壁４ａには、水栓１４が取り付けられるものであり、この水栓１４には給水管１１と給湯管１２が接続され、この給水管１１，給湯管１２はカウンター本体６内に隠蔽状に通され、エプロン３からは洗い場５側へ給水用および給湯用のそれぞれのフレキシブル管１１ａ，１２ａが突出されており、このフレキシブル管１１ａ，１２ａに対して、カウンター本体６内を通された給水管１１，１２が接続されるものである。
なお、水栓１４には、吐水口に連結する吐水配管１６と、シャワー用のシャワー配管１７も接続されるものである。
なお、カウンター本体６は、設置壁４ａに固設したカウンターブラケット１５，１５に支持されて設置壁４ａに沿って横設されるものである。
【００１４】
カウンター本体６は、上面６ａの前端に垂下状に前面６ｂが形成され、前面６ｂの下端から上面６ａとほぼ平行状に下面６ｃが一体形成されており、前面６ｂの中央部には洗い場５側へ湾曲状に突出して上面６ａよりも一段低い洗面器載せ部６ｅが一体形成されている。また、上面６ａと下面６ｃの後端にはバックガード部６ｄ，６ｄが一体形成されている。このカウンター本体６は上下を反転して使用できるように設計されたものであり、現場によって設置壁４ａと対面する壁に設置する場合には、反転させて設置できるものである。
【００１５】
このカウンター本体６は前述した如く、浴室ユニットの浴槽２と対面する対面壁４ｂに右端側を当接させて、カウンターブラケット１５，１５に支持されて設置壁４ａに固定されるものであり、この状態では、浴槽のエプロン３とカウンター本体６の左端側には隙間Ｓが形成されることとなり、この隙間Ｓ内で前記給水管１１，給湯管１２をそれぞれフレキシブル管１１ａ，１２ａに接続することができ、接続作業は洗い場５側から容易に行うことができるものである。
【００１６】
この隙間Ｓ内の設置壁４ａには、固定用台座９をビス１０，１０で固定させておく。この固定用台座９の中央部には、埋設ナット９ａが設けられている。
隙間Ｓを覆蓋するためにカウンターカバー７が洗い場５側から着脱可能に取り付けられるものであり、カウンターカバー７は、カウンター本体６の上面６ａ上に重ね合わされる上面７ａと、カウンター本体の前面６ｂの前面に重ね合わされる前面７ｂと、カウンター本体の下面６ｃの下面に重ね合わされる下面７ｃを有しており、上面７ａおよび下面７ｃの後端には、それぞれバックガード部７ｄ，７ｄが一体形成されている。
【００１７】
このカウンターカバー７の前面７ｂは、エプロン３側に向かって湾曲して拡大された形状に形成されており、このカウンターカバー７の左端をエプロン３に当接させて取り付け、バックガード部７ｄのネジ孔７ｅ内にネジ８を通し、ネジ８を固定用台座９の埋設ナット９ａに締め付けて、カウンターカバー７を設置壁４ａに固定することができるものであり、カウンターカバー７に対し図２に示すようにカウンター本体６の左端側の差込量（重なり代Ｐ）を調整することにより、カウンター本体６の右端を確実に対面壁４ｂに当接させて固定することができるものである。
カウンターカバー７が取り付けられた図３の状態では、隙間Ｓはカウンターカバー７により覆蓋されて、カウンターは隙間なくエプロン３から対面壁４ｂに亘り横設された状態となり、設置状態の意匠性はすっきりとしたものとなる。
【００１８】
次に、図６は第２実施例を示すものである。
図７で要部を示すように、カウンター本体６の前面６ｂの左端側には作業口６ｆが貫通形成されており、この作業口６ｆから給水管１１，給湯管１２の接続作業等を行えるように構成したものであり、浴槽のエプロン３に当接状に取り付けられるカウンターカバー７には、この作業口６ｆの前面を覆蓋するように横方向に突出して蓋部７ｆが一体形成されている。
【００１９】
本例においても、カウンターカバー７にカウンター本体６の左端側を重ね合わせて、カウンター本体６の差込量を調整することができ、しかも蓋部７ｆで作業口６ｆを良好に覆蓋することができるものであり、配管の接続作業を容易に行うことができるとともに、カウンターを隙間なくエプロン３と対面壁４ｂ間に設置することができるものとなる。
【００２０】
次に、図８は第３実施例の分解斜視図であり、図９は設置状態の斜視構成図である。
この図８および図９に示す浴室ユニットは、図１０の縦断面概略構成図で示すように、浴槽２と、エプロン３と、洗い場５を形成する洗い場パン５ａを備えているが、浴槽２を載せる浴槽パンは存在しないタイプであり、浴槽２はその下端の脚２ａを、下方に配置されるフレーム１３に連結させて設置される。
【００２１】
このような浴槽パンが存在しないタイプでは、浴槽２の脚２ａとフレーム１３とのつなぎ作業等を行うために、エプロン３には作業口を形成させておく必要があるが、本例では図８に示すように、作業口３ａは、エプロン３の設置壁４ａ側端に設けた凹所の奥に開口されている。
なお、下方より立ち上げられた給水および給湯用のそれぞれの立上管１１ｂ，１２ｂに、カウンター本体６内に配管される給水管１１および給湯管１２を接続する作業は、作業口３ａの前の隙間Ｓ内で良好に行うことができる。
【００２２】
カウンター本体６は、浴室ユニットの対面壁４ｂに右端側を当接させて設置壁４ａに設置され、カウンター本体６の左端とエプロン３間の隙間Ｓを覆蓋するために、洗い場５側からカウンターカバー７が着脱可能に取り付けられるのであるが、本例では、カウンターカバー７には左端側に垂設された作業口蓋部７ｇが一体形成されており、この作業口蓋部７ｇの上端部分から湾曲して前面７ｂが一体形成され、その上方に略水平に上面７ａが形成され、上面７ａと平行状に前面７ｂの下端に下面７ｃが一体形成されている。
【００２３】
この上面７ａ，前面７ｂ，下面７ｃの部分で隙間Ｓを覆うことができ、同時に作業口蓋部７ｇでエプロン３の作業口３ａを覆蓋することができるように構成されており、カウンターカバー７の取付状態では、図９のように、隙間Ｓおよび作業口３ａおよび配管が隠蔽されてすっきりとした設置状態が得られるものであり、カウンターカバー７の右端側にカウンター本体６の左端側を重ね合わせて、カウンター本体６の差込量を調整することで、カウンター本体６の右端側を確実に対面壁４ｂに当接させ、左端側は良好にカウンターカバー７で覆蓋させて、すっきりとした状態にカウンターをエプロン３と対面壁４ｂ間に横設することができるものである。
【００２４】
なお、作業口蓋部７ｇを一体に備えたカウンターカバー７を取り外すことで、作業口３ａを開放させることができ、この作業口３ａから手を入れて、浴槽２の脚２ａとフレーム１３のつなぎ作業を行うことができ、また、エプロン３の裏側の配管のつなぎ作業等も良好に行うことができ、更には、追焚き配管のつなぎ作業等も容易に行うことができるものとなる。
【００２５】
なお、従来のように作業口３ａを洗い場５から見え易いところに設置すると見栄えが悪くなるが、本例では、作業口３ａは設置壁４ａ側端であるため見え難い位置となり、しかもカウンターカバー７の作業口蓋部７ｇで覆蓋することができ、浴室ユニットの設置状態の意匠性が向上するものとなる。
なお、本例では、作業口３ａを設けた例を説明したが、作業口３ａが無い場合も、エプロン３の凹所における作業を行えるという効果を奏する。
【００２６】
次に、図１１および図１２に示すものは第４実施例であり、本例では北海道等の寒冷地における浴室ユニットのカウンターの設置構造を示すものであり、寒冷地では浴槽２側は屋外に面し冷えるために、隣室に面した対面壁４ｂ側へ給水管１１，給湯管１２を配管させて凍結を防ぐのであり、このような浴室ユニット１においては、カウンター本体６の左端側をエプロン３に当接させて設置し、カウンター本体６の右端側と対面壁４ｂ間の隙間にカウンターカバー７を着脱可能に取り付けて、隙間なくカウンターをエプロン３と対面壁４ｂ間に設置するものである。
【００２７】
なお、本例では、カウンター本体６の右端側の前面６ｂに作業口６ｆが開口されており、この作業口６ｆから手を入れて良好に給水管１１および給湯管１２の接続作業を行うことができるものであり、カウンターカバー７を取り付けた状態では、カウンターカバー７に一体形成されている蓋部７ｆが作業口６ｆを覆蓋して、すっきりとした状態にカウンターが設置されるように構成されている。
【図面の簡単な説明】
【００２８】
【図１】浴室ユニットの概略平面構成図である。
【図２】第１実施例のカウンターの分解斜視構成図である。
【図３】カウンターカバーにカウンターを重ね合わせて調整している状態の要部斜視構成図である。
【図４】カウンターの設置状態の斜視構成図である。
【図５】カウンター内に配管される給水管および給湯管の配置構成図である。
【図６】第２実施例を示すカウンターの設置状態の斜視構成図である。
【図７】カウンターの左端側を示す要部構成図である。
【図８】第３実施例のカウンターの分解斜視構成図である。
【図９】第３実施例のカウンターの設置状態の斜視構成図である。
【図１０】浴槽パンの存在しない浴室ユニットの概略縦断面構成図である。
【図１１】第４実施例のカウンターの設置状態の斜視構成図である。
【図１２】図１１のカウンターの右端側の要部構成斜視図である。
【符号の説明】
【００２９】
１  浴室ユニット
２  浴槽
２ａ  脚
３  エプロン
３ａ  作業口
４ａ  設置壁
４ｂ  対面壁
５  洗い場
６  カウンター本体
６ａ  上面
６ｂ  前面
６ｃ  下面
６ｄ  バックガード部
６ｅ  洗面器載せ部
６ｆ  作業口
７  カウンターカバー
７ａ  上面
７ｂ  前面
７ｃ  下面
７ｄ  バックガード部
７ｅ  ネジ孔
７ｆ  蓋部
７ｇ  作業口蓋部
９  固定用台座
９ａ  埋設ナット
１１  給水管
１２  給湯管
１１ａ，１２ａ  フレキシブル管
１３  フレーム
１４  水栓
１５  カウンターブラケット
Ｐ  重なり代
Ｓ  隙間
【図１】
2007330711.tif 000003
【図２】
2007330711.tif 000004
【図３】
2007330711.tif 000005
【図４】
2007330711.tif 000006
【図５】
2007330711.tif 000007
【図６】
2007330711.tif 000008
【図７】
2007330711.tif 000009
【図８】
2007330711.tif 000010
【図９】
2007330711.tif 000011
【図１０】
2007330711.tif 000012
【図１１】
2007330711.tif 000013
【図１２】
2007330711.tif 000014